(57)【要約】内蔵式膨張機構を持つ膨張式物品１０を提供する。スポーツ用品、医療用品、娯楽用品及び玩具のような内蔵式機構を持つ膨張式物品１０なるべくは膨張式物品を膨張させ又は膨張式物品１０に圧力を加え又は装置部品から圧力を下降させ又はこの圧力を除去する少なくとも１つの機構、たとえば膨張式物品の内部に位置する機構を持つ膨張式物品１０について述べる。
2004538061.tif 000002
【特許請求の範囲】
【請求項１】
少なくとも１つの内部ポンプを備えた膨張式物品において、
前記少なくとも１つのポンプが、この内部ポンプを作動する作動手段を備え、
前記内部ポンプが、大気空気を前記膨張式物品内部に送り込む手段と、送り込んだ空気が前記膨張式物品から逃げるのを防止する手段とを備え、
さらに前記内部ポンプを使用してないときに、前記内部ポンプが実質的に前記膨張式物品の表面と同一平面に位置するか又は前記表面のわずかに下方に位置するようにして成る膨張式物品。
【請求項２】
少なくとも１つの前記内部ポンプを小形軽量で約５ｇないし約２００ｇの重量を持つようにした請求項１の膨張式物品。
【請求項３】
前記膨張式物品が、スポーツ用品、娯楽用品、医療用品又は玩具の一部分である請求項１の膨張式物品。
【請求項４】
前記膨張式物品が、ボート用のバンパ又はフェンダである請求項１の膨張式物品。
【請求項５】
前記少なくとも１つの内部ポンプを使用してないときに、この内部ポンプを前記膨張式物品の表面のわずかに下方に位置させた請求項１の膨張式物品。
【請求項６】
前記膨張式物品が、少なくとも２つの内部ポンプを備えた請求項１の膨張式物品。
【請求項７】
前記少なくとも２つの内部ポンプを、前記膨張式物品上の互いに異なる場所又は区域に位置させた請求項６の膨張式物品。
【請求項８】
前記膨張式物品の内部に位置し、前記少なくとも１つの内部ポンプの重量につりあう手段をさらに備えた請求項１の膨張式物品。
【請求項９】
さらに、前記膨張式物品から空気を流通させ又はこの膨張式物品の圧力を低下させる手段を備えた請求項１の膨張式物品。
【請求項１０】
内部ポンプを備えた膨張式物品において、
前記内部ポンプに、
前記膨張式物品内への空気出口を持つシリンダと、前記空気出口に取付けられ、前記シリンダから前記膨張式物品内へ空気を流入させ、前記膨張式物品から前記シリンダ内へ空気が流れ戻るのを防止する一方弁と、前記シリンダ内に位置し、このシリンダ内に前記膨張式物品の外部から大気空気を吸引し、この吸引した大気空気を前記シリンダから前記一方弁を経て前記膨張式物品内部に押込むように作動できる手段とを設け、さらに前記ポンプを前記膨張式物品の外部から作動する手段を設けて成る膨張式物品。
【請求項１１】
前記内部ポンプを小形軽量で、約５ｇないし約２００ｇの重量を持つようにした請求項１０の膨張式物品。
【請求項１２】
前記膨張式物品が、スポーツ用品、娯楽用品、医療用品又は玩具の一部分である請求項１０の膨張式物品。
【請求項１３】
前記膨張式物品が、ボート用のバンパ又はフェンダである請求項１０の膨張式物品。
【請求項１４】
前記内部ポンプを使用してないときに、この内部ポンプを、前記膨張式物品の表面のわずかに下方に位置させた請求項１０の膨張式物品。
【請求項１５】
前記膨張式物品が２つの内部ポンプを備えた請求項１０の膨張式物品。
【請求項１６】
前記少なくとも２つの内部ポンプを、前記膨張式物品の互いに異なる場所又は区域に位置させた請求項１５の膨張式物品。
【請求項１７】
前記膨張式物品の内部に位置し、前記少なくとも１つの内部ポンプの重量につりあう手段をさらに備えた請求項１０の膨張式物品。
【請求項１８】
前記膨張式物品から空気を流出させ又は前記膨張式物品の圧力を低下させる手段を備えた請求項１０の膨張式物品。
【発明の詳細な説明】
【技術分野】
【０００１】
本発明は、スポーツ用品、レジャー用品、医療用品及び玩具のような内蔵式機構（ｓｅｌｆ−ｃｏｎｔａｉｎｅｄ  ｍｅｃｈａｎｉｓｍ）を持つ膨張式物品（ｉｎｆｌａｔａｂｌｅ  ａｒｔｉｃｌｅ）に関し、好適には、膨張式物品を膨張させ又は膨張式物品に圧力を加える少なくとも1つの機構又は、膨張式物品の一部から圧力を除去するための少なくとも1つの機構を持つ任意の膨張式物品であって、前記少なくとも1つの機構が膨張式物品の内部に位置させられた膨張式物品に関する。
【関連特許願の参照】
【０００２】
本出願は、西暦１９９９年１０月１４日出願の米国特許願６０／１５９，３１１号の恩典を主張する西暦２０００年１月６日出願の米国特許願０９／４７８，２２５号現在米国特許第６，２８７，２２５号として特許されている米国特許出願のＣＩＰ出願である、西暦２０００年６月１５日出願の米国特許願０９／５９４，９８０号のＣＩＰ出願である西暦２００２年６月２５日出願の米国特許願１０／１８３，３３７号のＣＩＰ出願である。本出願は又、西暦２００１年８月２日出願の米国特許願６０／３０９，６６５号の恩典を主張する。
【背景技術】
【０００３】
本発明は、任意の膨張式物品であって、この膨張式物品を膨張させ又は、膨張式物品に圧力を加え、又は膨張式物品を収縮させ又は膨張式物品から圧力を除去する少なくとも１つの機構を備えた任意の膨張式物品に係わる。膨張式物品を膨張させ或は膨張式物品を収縮させる機構はポンプが望ましい。膨張機構又は収縮機構を備える膨張式物品の例は、限定するわけではないが、自転車及びその他の車両用のタイヤ及びチューブ、膨張式救命いかだ及びボート、ボート用のバンパ又はフェンダ、バッフル、空気入りマットレス、ピロー、ボール又はいかだ又はリング又は動物のようなプール玩具、ビーチボール、膨張式椅子、つり袋、水泳用補助器具及び浮揚器具、ポーゴーボール（ｐｏｇｏ  ｂａｌｌ）、気球、膨張式ギブス及び当て木のような医療用品、再使用できるパッキン材料、自動車や自転車及びその他の車両用のクッション及び座席等のような膨張式物品内に空気が保持されるように不透過性の袋又はその他の層を持つ任意の膨張式物品を備える。
【０００４】
前記したような膨張式物品は一般に、自動密封膨張弁（ｓｅｌｆ−ｓｅａｌｉｎｇ  ｉｎｆｌａｔｉｏｎ  ｖａｌｖｅ）内にこの弁を貫いて挿入する別個の膨張針を使い又は膨張弁内に空気を吹き込み又は押し込み次いでこの弁を閉じることによって従来の膨張弁により膨張させる。従来の自転車ポンプ又は空気圧縮機のような別個のポンプを膨張針に接続しこのポンプを使い膨張式物品を膨張させる。次いで膨張針を膨張弁から抜取る。この膨張弁は一般に圧力の保持のために自動密封式が好適である。膨張弁は又手動密封式にしてもよい。このシステムは、膨張式物品が膨張又は圧力の増減を必要とするまでは或はニードル及び又はポンプの利用が容易でない場合に良好に作用する。
【０００５】
或はビーチボール、プール玩具、空気入りマットレス等のような若干の膨張式物品は、これ等の膨張式物品が十分に膨張するまで一般に人が手動で弁内に空気を吹き込む必要のある手動膨張弁を持ち、或は弁内に空気を送入するのに空気圧縮機又は足踏みポンプを使用できる弁を持つ。空気を送入することにより大形の膨張式物品を膨張させるときは、この膨張式物品をあまり速く膨張させると、頭部が軽くなり易いので膨張にかなりの時間がかかることが多い。或は空気圧縮機又は足踏みポンプを使うと電気又は蓄電池が必要であり、これ等は利用しにくい。
【０００６】
多くの膨張式物品又は膨張式装置部品では膨張式物品及び膨張式装置部品に内蔵式膨張機構が必要である。
【発明を解決するための手段】
【０００７】
本発明は、膨張式物品であって膨張式物品を膨張させ又は膨張式物品に圧力を加え或は膨張式物品を収縮させ又は膨張式物品から圧力を抜く単一の機構又は多数の機構なるべくはポンプを備えた任意の膨張式物品に係わる。この機構又はポンプは膨張式物品の外部から操作できる。この機構はこの膨張式物品内に大気空気を送り込み、所望の圧力を得る。膨張機構は、膨張式物品の室内に大気空気を送り込む手段を膨張式物品内に設けた室を備える。膨張機構を持つ膨張式物品は、膨張機構を備えない対応物品と同じ仕様を持つ。本発明は前記した仕様を持つ。
【０００８】
その他の目的は、一部は明らかであり又一部は以下になお詳しく示してある。
【０００９】
第1の態様では、本発明は少なくとも1個のポンプにこのポンプを作動する手段を設け少なくとも1個のポンプを備えた膨張式物品を提供する。本ポンプはさらに、膨張式物品内に大気空気を送り込む手段と送り込んだ空気が膨張式物品から逃げないようにする手段とを備える。本ポンプは、使用してないときに膨張式物品の表面と実質的に同一平面に位置するか又はこの表面よりわずかに下方に位置する。
【００１０】
他の態様では本発明は、ポンプ自体が前記膨張式物品への空気出口を持つシリンダと、このシリンダから前記膨張式物品内に空気が流入でき前記膨張式物品から前記シリンダ内に空気が流れ戻らないようにし前記空気出口に取付けた一方弁とを設けた内部ポンプを備えた膨張式物品を提供する。本ポンプは又、前記膨張式物品の外部からシリンダ内に大気空気を吸引し、吸引した大気空気をシリンダから一方弁を経て膨張式物品内に押込むように作用する、シリンダ内の手段を備える。本ポンプはさらに、膨張式の物品の外部からポンプを作動する手段を備える。
【００１１】
従って本発明は、複数のステップと1つ又は複数のステップの相互の関係と、前記の特徴、性質及び以下に述べる各要素の関係とを含む。
【００１２】
本発明を限定しないで若干の実施例を添付図面により以下に詳細に述べる。
【００１３】
好適な実施例では本発明膨張式物品は、少なくとも1個の内蔵式膨張機構又はその他の内部装置を備えた膨張式物品である。本発明膨張式物品は袋を含み又は空気を保持する材料から作るのがよい。本発明膨張式物品の内部は又そらせ板及び／又は一部はあわ入り材料を含む。本発明膨張式物品はこの膨張式物品内部に空気を保持するように不透過性の袋又はその他の層を持つ任意の膨張式物品でよい。本発明膨張式物品はたとえば、自転車及びその他の車両用のタイヤ及び内部チューブ、膨張いかだ及びボート、ボート用のバンパ又はフェンダ、そらせ板、空気入りマットレス、ピロー、ボール又はいかだ又はリング又は動物のようなプール玩具、ビーチボール、膨張式椅子、パンチングバッグ、水泳用浮き具、ポーゴーボール、気球等である。本発明膨張式物品は、少なくとも1つの内蔵式膨張機構又はその他の内部装置を持つ娯楽用品、スポーツ用品の部品又は医療用品、なおなるべくは、ポンプのような少なくとも1つの内蔵式膨張機構を持つ娯楽用品、医療用品又はスポーツ用品の部品が望ましい。
【００１４】
好適な1実施例では本発明膨張式物品は、この膨張式物品をその所望の寸法及び圧力を越えてはあまり伸びないように制限する材料で構成する。前記したように本発明膨張式物品は、袋又は内部層と同じ又は異なる材料から成る外部層とのような多層を備え、或は本発明膨張式物品は単一層で構成してもよい。
【００１５】
別の好適な実施例では本発明膨張式物品は単一層又は多層の材料で構成する。この材料は、所望の条件に従って膨張式物品に使うのに適した任意の材料でよい。たとえば膨張いかだプール用玩具には薄い軽量のビニル材料を使うが、実際上一層耐久性の高くなければならない膨張式物品にはゴム、カンバス、プラスチック、ビニル、エラストマー、ラテックス、ウレタン又はこれ等の組合せのような比較的強い材料或はその他の適当なたわみ性材料を使えばよい。
【００１６】
膨張機構は、当業界ではよく知られた任意適当な方法でたとえば膨張式物品への機構の接着、膨張式物品へのポンプの積層等で膨張式物品内に取付ける。互いに異なる形式の膨張式物品に使用するのに複数の互いに異なる形式のポンプがある。
【００１７】
膨張機構は、膨張式物品に過度の重量が加わらないように小形軽量にするのがよい。膨張式物品の寸法及び重量に従って所望により比較的大形のポンプを使う。比較的大形のポンプは比較的大きい体積の空気を一層迅速に送る。前記したポンプは、膨張式物品の機能性に影響を及ぼさない限りは一層大きい寸法に増大させる。さらに若干の膨張式物品及びその適用例では、つりあいが膨張式物品の重要な品質である場合には膨張機構につりあうように膨張式物品に重量を加えることが望ましい。大型のボートバンパ又はフェンダーのような他の膨張式物品では、膨張式物品が十分に大きく十分に重く又ポンプが十分に軽く或はつりあいは問題にならない。従ってポンプをつりあわせることは必要でないし又は望ましくない。膨張機構はポリスチレン又はポリカーボネートのようなプラスチック材料から作るのがよい。しかし当業界には知られた任意の材料又は材料の組合せを使ってもよい。
【００１８】
所望により単一の膨張式物品に多数の膨張機構を協働させてもよい。たとえば空気入りマットレス、膨張式いかだ、ボートバンパ、当て木又は空気入りギブス、シート等のような膨張式物品ではこのような膨張式物品は多重の各別の空気室を持ち、各室は室内に圧力を保持するように別個の膨張機構を持つ。或は多数の膨張機構を1個の室だけしか持たない単一の膨張式物品に協働させ付加的な膨張力及び／又はバックアップ膨張機構を生成するようにしてもよい。ボートバンパ又はフェンダのような若干の膨張式物品では多数膨張機構が有用であり、これ等の膨張機構は操作しやすいように膨張式物品の互いに対向する端部に位置させればよい。
【実施例】
【００１９】
図面の図１ないし図５には本発明の膨張式物品１０の一部を示した１実施例による膨張ポンプを示す。例示した膨張式物品１０は、空気保持用の内側層１２と外側層１６とを備えたボートバンパ又はフェンダのような多重層膨張式物品である。内側及び／又は外側の層は、あまり伸長できなくて膨張式物品をその正常な所望の圧力以上にはあまり膨張しないように制限する材料により構成するのがよい。或は本発明膨張式物品は、ゴム、カンバス、ビニル及び類似物のような耐久性のある材料から成る多層から構成してもよい。又一つ又は複数の層に防水性及び／又は切断防止性の材料を含浸させ又は被覆してもよい。或は膨張式物品は、材料が空気を保持するようなものであれば所望により一層だけの材料で構成してもよい。図１１は内部膨張ポンプ８２を持つ、本発明のボートバンパ又はフェンダ２１０を示す。
【００２０】
本発明膨張式物品には、中心穴となるべくはゴム接着剤を使って膨張式物品に接着したフランジ２２とを持ちゴム製ポンプブーツすなわちハウジング２０を協働させてある。ブーツ２０は内側層１２及び外側層１６の間に位置させるのがよい。ブーツ２０は、ブチルゴム、天然ゴム、ウレタンゴム又は任意適当なエラストマーを当業界にはよく知られたゴム材料或はその組合せのような任意適当な材料から構成すればよい。このブーツは、膨張式物品材料に一層容易に接着する材料から構成するのがよい。たとえば本膨張式物品の内側層がブチルゴムであると、ブチルゴム製ブーツは、相溶性を持ち若干の他の材料より一層容易に接着するので好適である。
【００２１】
適正な形状の中心穴を保持し膨張式物品を製造処理中に膨張させるように成形処理中にブーツ穴内に成形プラグを挿入する。この成形プラグは、なるべくはアルミニウム、複合体又はゴム最もなるべくはアルミニウムである。ブーツ２０の中心穴は、ポンプシリンダ２８の上端部にフランジ２６を保持するようにみぞ２４を形成してある。シリンダ２８は任意適当な柔軟性接着剤（エポキシウレタン、シアノアクリレート又はその他の当業界にはよく知られた任意の柔軟性接着剤）を使ってブーツに適宜に接着する。図示のポンプシリンダは直シリンダであるが、直シリンダでない他のシリンダたとえば非円形の横断面を持つシリンダを使ってもよい。
【００２２】
ポンプシリンダ２８内には図１及び図２に示したポンプピストン３０を位置させてある。ピストン３０は、シリンダ２８内でピストン３０を上昇させるばね３４を納めた円形みぞ３２を備える。又ピストン３０の下端部にはＯリング３８を含むＯリングみぞ３６を設けてある。図１に示すようにＯリングみぞ３６は、Ｏリング３８がみぞ３６内で上下に移行することができるように寸法を定めてある。Ｏリング３８は、ピストン３０を押下げたときに図１に示した位置になる。この位置ではＯリング３８はシリンダ壁とみぞ３６の上部フランジ４０との間を密封する。図２に示すように上部フランジ４０の直下から下方に下部フランジ４４を貫いて延びるくぼみすなわちちみぞ穴４２をみぞ３６内に設けてある。これ等のみぞ穴４２のうち１個だけ示してあるが２個又はそれ以上のみぞ穴を設けるのがよい。ピストン３０をばね３４により押上げるときは、Ｏリング３８はみぞ３６の下部に動きくぼみすなわちみぞ穴４２を貫いてＯリング３８のまわりにバイパスを開き、空気がシリンダ２８内にピストン３０の下方に入ることができるようにする。次いでピストン３０を押下げるとＯリング３８がみぞ３６の頂部の方に戻りシリンダ出口ノズル４６を経て空気を押出して密封する。
【００２３】
ピストン３０の上端部には、シリンダキャップ５０と協働する３２個のフランジ４８が設けられ、ピストン３０をシリンダ２８内で下降した状態に保持し又ピストン３０をポンプ作用のために解放するようにしてある。シリンダキャップ５０はシリンダ２８の頂部に固定され又ピストン３０はシリンダキャップ５０の中心を貫いて延びる。キャップ５０は当業界には知られた適当な接着剤を使いシリンダ２８に接着する。図３は、シリンダキャップ５０の下部の斜視図を示し中心穴の互いに対向する側の開いた区域５２を示す。この中心穴はピストン３０の２個のフランジ４８が非鎖錠位置で貫通する。鎖錠位置では、ピストン３０は、２個のフランジ４８が突起５４の下側を通り鎖錠くぼみ５６内に回動するように押し下げて回動する。ピストン３０の上端部にはボタン又はキャップ５８を取付けてある。キャップ５８はカーカスの穴を実質的にほぼ満たし膨張式物品の表面に実質的に面一になるかこの表面よりわずかに下に凹入するようにしてある。ボタン又はキャップとして使うのに適した材料の例には、ウレタンゴム、ブチルゴム、天然ゴム又はその他当業界にはよく知られた任意適当な材料がある。ボタン又はキャップとして使う好適なゴムは、アドバンスト・エラストマー・システムズ製のアクロン（Ａｋｒｏｎ）ＯＨから得られるサントプレンＴＭ（ＳａｎｔｏｐｒｅｎｅＴＭ）ゴムのような熱可塑性加硫ゴムである。ボタン又はキャップは又膨張式物品の残余部分の感触に適合するように柔軟性を持つ。所望によりボタンの表面のグリップ感を高めポンプの操作を容易にするように平滑にしてある。シリンダキャップ５０の上面には、ピストンを鎖錠又は解錠するようにばね力に逆らってピストンを押下げたときにボタン５８により当てがったパッド６０を適宜に取付けてある。パッド６０はポンプにクッション作用を加える。
【００２４】
好適な実施例では繊維又はその他の補強材料をボタン又はキャップに使うゴム配合物又は熱可塑性材料に混合する間に含ませる。使用に適する繊維材料の例は限定するわけではないがポリエステル、ポリアミド、ポリプロピレン、ケブラーＴＭ（ＫｅｖｌａｒＴＭ）、セルリスティック（ｃｅｌｌｕｌｉｓｔｉｃ）、ガラス及びこれ等の組合せがある。ボタン又はキャップに繊維又はその他の補強材料を含ませるとボタンの耐久性を高め、ボタン又はキャップとピストン棒との結合を強めて使用中にボタン又はキャップが破断しないようにする。ポンプはボタンがなくてもなお機能するが使用が極めて困難になる。
【００２５】
好適な１実施例ではボタン又はキャップ５８はピストン３０と共に一体部品として一緒に射出する。或はボタン又はキャップ５８は接続部品と一緒に射出し、次いでボタン又はキャップ５８と接続部品とをこれ等の２つの部品を互いに接合するのに適した接着剤を使いピストン３０の上端部に取付ける。ボタン５８及びピストン３０を一体品として一緒に射出することにより、或はピストン３０に取付けた一体品としてのボタン５８及び接続部品は、ボールの定期的使用中に破断又は分離を生じにくい耐久性の高い部品を生成する。ボタン又はキャップの材料とピストン材料とは、一緒に射出したときに互いに固着するように選定する必要がある。種種の組合せの試験では、サントプレンＴＭから成るボタンのような軟質ゴムボタンとポリカーボネート又はポリプロピレン及び類似物のような比較的硬いピストンとを一緒に射出し又は押出すことにより接着剤を必要としない耐久性の高い接合ができる。
【００２６】
ピストン及び接続部品は任意適当な材料から形成する。これ等の材料の例は限定するわけではないがポリカーボネート（ＰＣ）、ポリスチレン（ＰＳ）、アクリル（ＰＭＭＡ）、アクリロニトリル−スチレンアクリレート（ＡＳＡ）、ポリエチレンチレフタレート（ＰＥＴ）、アクリロニトリルブタジエンスチレン（ＡＢＳ）共重合体、ＡＢＳ／ＰＣブレンド、ポリプロピレン（なるべくは高インパクトポリプロピレン）、プロピレンオキサイド、ナイロン、これ等の組合せ又は当業界には知られた材料がある。高インパクト強さを持つ材料が好適である。
【００２７】
添付図面の図１はポンプ出口ノズル４６を示すがこの出口に取付けた一方弁は示してない。図４には、出口ノズル４８に取付けるダックビル形（ｄｕｃｋｂｉｌｌ−ｔｙｐｅ）の一方弁アセンブリ６２を示してある。このアセンブリは、入口端部部品６４と出口端部部品６６とこれ等２個の端部部品間に固着したエラストマー質ダックビル弁６８とから成る。端部部品６４、６６は、ポリカーボネート、ポリプロピレン、ナイロン、ポリエチレン又はこれ等の組合せのようなプラスチック材が好適であるが、使用に適した任意の材料でよい。これ等は互いに超音波溶接すればよい。その他の一方弁を、これ等の弁が必要に応じ空気が弁外に又は膨張式物品の内部から漏れないように機能する限りは本膨張式物品に使えばよい。これ等の一方弁は種種のプラスチック材、ゴム類又は当業界に知られたその他のエラストマー質材料から構成すればよい。
【００２８】
出口ノズル４６には所望の一方弁を使うが又ダックビル弁は一般的な一方弁であるが特殊なダックビル形状を図４に示し図５に一層詳しく示してある。このようなダックビル構造は米国オハイオ州イエロウスプリングスブイメイラボラトリズインコーポレィテッド（Ｖｅｍａｙ  Ｌａｂｏｒａｔｏｒｉｅｓ，Ｉｎｃ．）から市販されている。この弁はポンプがタイヤのような比較的高い圧力ふん囲気で作用できるように調整できる。比較的小形の膨張式物品に使われる小形軽量のポンプは約１５ｐｓｉまでの圧力を定格とする一方弁を備える。
【００２９】
図１ないし図５に例示した前記したようなポンプアセンブリは主として、ポリスチレン、ポリエチレン、ナイロン、ポリカーボネート及びこれ等の組合せのようなプラスチック材から作るのがよい。しかしこのようなポンプアセンブリは当業界によく知られた任意適当な材料から作ればよい。多くの形式の膨張式物品ではポンプアセンブリは小形軽量でなるべくは約５ｇないし約２００ｇに過ぎないがなおなるべくは約２０ｇないし約１００ｇでよい。しかしポンプは一層大きくても小さくてもよい。膨張式物品の重量及び機能に従って、ポンプ機構の重量につりあうように膨張式の物品構造に重量を加えることが望ましい。若干の膨張式物品ではつりあいが臨界的ではない。他の膨張式物品ではポンプは、、膨張式物品がポンプに比べて比較的重いので膨張式物品のつりあいに全く衝撃を加えないだけ十分に軽量である。図６は、ポンプ機構８２がボートバンパ又はフェンダのような膨張式物品２１０の一方にあり、又標準のニードル弁８４は膨張式物品の反対側にある。この場合ニードル弁８４を形成する材料８６は必要に応じ重さを加えてもよい。ニードル弁ハウジング又はニードル弁を囲む領域に付加的な材料を加えてもよい。或はダングステンのような高密度の金属粉末をゴム配合物に加えてもよい。第２の弁穴が無い場合にはつりあいおもりを任意適当な位置に加えればよい。図２３及び図２４は図６のボートバンパ又はフェンダ２１０に示したポンプ機構８２及びニードル弁８４の拡大図である。図２５は本発明の好適な実施例によるボートバンパ又はフェンダ２１０の側面図である。
【００３０】
図１ないし図５についての以上の説明は特定の好適なポンプ構造を表わす。しかし他のポンプ構造を使ってもよい。図７、図８及び図９は本膨張式物品の内側に位置し外部から操作できる別の形式のポンプを示す。ポンプはボールのカーカス９０に取付けた剛性のシリンダ８８を備える。ピストン９２は頂部のキャップ９４により中空である。Ｏリング９６は、ピストン９２及びシリンダ８８の間の密封体を形成する。ピストン９２に頂部には入口穴９８が隣接している。空気出口穴１００はピストンの底部にある。フラップ弁１０２は穴１００を覆い空気がピストン９２に流入し出口穴１００からフラップ弁１０２を経て流出しピストン９２を引上げたときにシリンダ８８に空気を満たす。シリンダ８８の底部には穴１０４及びフラップ弁１０６を設けてある。ピストン９２を押下げると、フラップ弁１０２が閉じフラップ弁１０６が開き、シリンダ８８内の空気が穴１０４及びフラップ弁１０６を経て膨張式物品内に押込まれる。ピストン９２を引上げるときはフラップ弁１０６が閉じられる。ばね１０８はピストン９２を上部に又は延びた位置に押上げ又ピストン９２はばね力に逆らって押下げられる。ピストン９２のＪ字形みぞ穴１１０はシリンダ８８の突起１１２と協働しピストン９２を下降位置に鎖錠する。従ってピストン９２はたとえばみぞ穴１１６内にコイン１１４の使用によってピストンを鎖錠し又解錠するように回す。
【００３１】
本発明の別の変型を図１０に示してある。図１０にはシリンダのボール及びキャップ１２２のカーカス１２０に取付けたシリンダ１１８を示してある。カーカス１２０の実際の層は図１０には示していない。シリンダ１１８内にはＯリング１２６及びピストン棒１２８を持つピストン１２４を設けてある。シリンダ１１８の底部にはダックビル形の一方弁１３０を設けてある。この実施例ではばね１３２はピストン１２４及びピスン棒１２８をシリンダ１１８内に押下げピストン棒１２８がばね力に逆らって引上げられ、ばね１３２によりピストン１２４及びピストン棒１２８をシリンダ１１８内に押下げるようにする。ピストン棒１２８の上端部にはフリップアッププルリング（ｆｌｉｐ−ｕｐ  ｐｕｌｌ  ｒｉｎｇ）１３４を取付けてある。
【００３２】
図１２は本発明の別の実施例を示す。この実施例ではシリンダ１４２、ピストン１４４、ピストン棒１４６及びダックビル弁１４８を持つポンプ１４０は回転ディスク又はクランク輪１５０に回転できるように接続したピストン棒１４６を持つ。このディスク１５０は室１５２内に回転できるように取付けられそしてクランク取付具１５４は膨張式物品のカー力ス又は内側層を貫いて延びている。クランク１５６は取付具１５４内にディスク１５０が回転するように従ってポンプが作動するように挿入してある。図１３に示すようにこの実施例の関連変型は、本膨張式物品の表面に回転できるように取付けたディスク１５０と同様な回転ディスク１５８を持つ。ディスク１５８は指穴１６０を持ちこのディスク１５８を穴１６０に挿入した指で手動により回転できるようにしてある。
【００３３】
膨張した膨張式物品内の圧力は過度の膨張又は温度上昇ができるから、普通の膨張ニードルが利用できないときは膨張式物品から圧力を逃がす手段を設けるのがよい。１種類の構造は図１４に示してある。この構造は、膨張式物品のカーカスを貫く流出穴１６２と、穴１６２内のプラグ１６４と、プラグ１６４を緊密に穴１６２内に密封した状態に通常保持する穴１６８付きの弾性カバー１６６とを備える。弾性カバー１６６によりプラグ１６４を押し開き穴１６８及び穴１６２を経て圧力を逃がすことができる。
【００３４】
図１５は、ピストン棒１７３により駆動輪１７４に取付けたピストン１７２を持つ引張りコード機構１７０によって作動するポンプを示す。駆動輪１７４は、つめ車でありばね付勢され芝刈り機のスタータと同じようにしてよく知られた方式で作動する。ピストン１７２は、他方向でなく一方向に空気流がピストンを過ぎることのできる、図１に示したＯリングシールと同じＯリングシール１７６を設けてある。シリンダには、膨張式物品に流入し逆流して戻らないようにするためにダックビル形の一方流れ弁１７８を設けてある。
【００３５】
図１６は、シリンダ１８０と一方流れＯリング構造１８４をを持つピストン１８２とポンプからボールへの空気の流れ用の一方フラップ弁１８６とを持つポンプの別の変型を示す。さらにポンプを支えポンプの動きを最小にするようにゴムのようなたわみ性の又は軟質の材料から成るポンプシリンダ支持体１８８を示してある。
【００３６】
図１７は引張りストリング又はコードにより作動する別の変型によるポンプである。ポンプシリンダ１９０はたわみ性支持体１９２、１９４によりボールに支えてある。シリンダ１９０内には支持体１９２内の穴１９８を経て又一方フラップ弁１９８を経て空気が送入される。ピストン２００は周辺のまわりに一方向逆止め弁として作用するすそ部分２０２を持つ。このようにして、ピストンが下降する際にピストンを過ぎる流れが生じ又ピストンを引上げる際にバイパス流れを防ぐ。ばね２０４はピストンを下降させそしてストリング２０６はばね力に逆らってピストンを引上げダックビル出口弁２０８を経てボール内に空気を押込むのに使われる。
【００３７】
図１８は、図４及び図５に示したダックビル弁のようなダックビル弁を下端部に備える別の変型によるポンプ２１０を示す。ピストン２１６の下端部２１４の延長部分２１２はばね２１８を心合せした位置に保持しばね２１８がシリンダ壁に沿い過度にこすれることがないようにする。これ等の延長部分は又、ばねを圧縮しこれ等の延長部分が相互に係合するときに止めとして機能する。この実施例では同様に一方流れＯリング２２０を持つピストン２１６は、ピストンをばね力に逆らって押下げるように穴２２２を経て別個の押し棒を挿入することによって作動する。
【００３８】
図１９は、ボールのような本発明膨張式物品のカーカス又は内側層に取付けた室２２６の端部を形成するピストン２２４を備えた変型によるポンプを示す。空気は室２２６内に穴２２８を経て送入され室２２６からピストンの穴２３０を経て又一方フラップ弁２３２を経てシリンダ２３４内に流出する。すそ部分すなわちマイクロカップ弁２３６はピストンとシリンダ２３４の壁と間の密封体を形成する。シリンダ２３４は穴２４０と一方フラップ弁２４２とを持つ端部２３８を閉じてある。シリンダ支持管２４４は空気流入用の穴２４６を持つ。このポンプを作動するには、穴２２８の区域で膨張式物品の頂部を押下げ室２２６を下方に押す。このようにしてピストン２２４をシリンダ２３４内で押下げフラップ弁２３２を閉じ空気をシリンダ２３４からフラップ弁２４２を経て穴２４６から膨張式物品に押込む。フラップ弁２４２により空気が膨張式物品から流れ戻らないようにする。又フラップ弁２４２により流れが下降して膨張式物品から流出しないようにする。
【００３９】
図２０は２つの方式に一方で機能できる構造を示す。この構造はシリンダ２５０内にピストン２４８を備えピストン２４８はばね２５２により押上げられる。ピストン２４８は又一方流れＯリンク流れ構造２５４を持ち又シリンダは一方流れダックビル２５６を持つ。この実施例ではピストン棒は自動車タイヤ又は自転車タイヤに使うのと同じ弁棒２５８を備える。弁棒２５８は、弁棒２５８を押下げることによりピストンを機械的に往復動させるのに使うことができる。弁棒２５８を下降状態に鎖錠するのに図示してない手段を使う。ピストンを機械的に動かすことにより膨張式物品を膨張させることができるほかに、本膨張式物品は必要に応じタイヤポンプで膨張させることができる。タイヤポンプは弁棒２５８に普通の方法で取付け膨張式物品を自動車タイヤ又は自転車タイヤと同じように空気を送るのに使うだけである。
【００４０】
図２１及び図２２はたわみ性ブラダ２６２から形成したシリンダ２６１を持つ異なる形式のポンプ２６０を示す。ゴム又は同様な材料から成るたわみ性ブラダ２６２は部分２６６で膨張式物品カーカス２６４に密封し、ダックビル弁２７０を含む丸い板２６８により下端部を閉じる。ブラダ２６２は、大気に通ずる穴２７４とフラップ弁２７６とを持つピストン２７２に頂部を取付けてある。ピストン２７２をピストン棒２７８により図２１に示した位置から押下げると、フラップ弁２７６は閉じ、空気がブラダ２６２からダックビル弁２７０を経て膨張式物品内に押込まれる。ピストン２７２を押下げると、ブラダ２６２がたわみ、頂部部分はピストン２７２に追従して下部部分内を下降し図２２に示した位置になる。ピストン２７２を引上げると、フラップ弁２７６が開きブラダ２６２に空気が充満する。外側層となるべくは同じ材料から成りベルコＴＭ又はその他の締付けシステムにより保持したフラップにより膨張式物品穴２８０を覆う。
【００４１】
以上本発明を好適な実施例について述べた。本発明はなお種種の変化変型を行うことができる。
【図面の簡単な説明】
【００４２】
【図１】膨張式物品の内部に空気圧力を加えるように膨張式物品の外部から作動できる内蔵のピストンシリンダ構造を持つ膨張できる膨張式物品の一部分の横断面図である。
【図２】図１に示したピストンの側面図である。
【図３】ポンプピストンの鎖錠及び解錠を行う構造を示す図１のポンプ用のキャップの斜視図である。
【図４】図１のポンプの出口に使う一方弁アセンブリの縦断面図である。
【図５】図４のダックビル弁の要部の拡大縦断面図である。
【図６】一方の側のポンプと反対側の従来の膨張弁とを備え適宜にはつりあいおもりを含む膨張できるボートバンパ又はフェンダの一部を部分縦断面図にして示す側面図である。
【図７】異なる実施例によるピストン及びシリンダ構造の縦断面図である。
【図８】図７の実施例によるピストン及びシリンダ構造の一部分の斜視図である。
【図９】図７の実施例によるピストン及びシリンダ構造の一部分の斜視図である。
【図１０】別の変型によるポンプを示す。
【図１１】内部膨張ポンプを持つ本発明のボートバンパ又はフエンダを一部を縦断面にして示す平面図である。
【図１２】回転運動により作動する変型によるポンプの横断面図である。
【図１３】図１２の変型のポンプの斜視図である。
【図１４】膨張した本膨張式物品から圧力を釈放する構造の横断面図である。
【図１５】図１２のポンプの変型の縦断面図である。
【図１６】図１５のポンプの変型の縦断面図である。
【図１７】図１５のポンプの別の変型の縦断面図である。
【図１８】図１５のポンプのなお別の変型の縦断面図である。
【図１９】図１８の別の変型の縦断面図である。
【図２０】図１９の別の変型の縦断面図である。
【図２１】図２０の別の変型の縦断面図である。
【図２２】図２１の別の変型の縦断面図である。
【図２３】図６のボートバンパ又はフエンダのポンプ機構の拡大縦断面図である。
【図２４】図６のボートバンパ又はフエンダのニードル弁の拡大縦断面図である。
【図２５】本発明の好適な実施例によるボートバンパ又はフエンダの側面図である。
【符号の説明】
【００４３】
１０  膨張式物品
２８  シリンダ
３４  空気吸引手段
４６  出口
６８  一方弁
【国際公開パンフレット】
2004538061.tif 000003
2004538061.tif 000004
2004538061.tif 000005
2004538061.tif 000006
2004538061.tif 000007
2004538061.tif 000008
2004538061.tif 000009
2004538061.tif 000010
2004538061.tif 000011
2004538061.tif 000012
2004538061.tif 000013
2004538061.tif 000014
2004538061.tif 000015
2004538061.tif 000016
2004538061.tif 000017
2004538061.tif 000018
2004538061.tif 000019
2004538061.tif 000020
2004538061.tif 000021
2004538061.tif 000022
2004538061.tif 000023
2004538061.tif 000024
2004538061.tif 000025
2004538061.tif 000026
2004538061.tif 000027
2004538061.tif 000028
2004538061.tif 000029
2004538061.tif 000030
2004538061.tif 000031
2004538061.tif 000032
2004538061.tif 000033
2004538061.tif 000034
2004538061.tif 000035
2004538061.tif 000036
2004538061.tif 000037
2004538061.tif 000038
【国際調査報告】
2004538061.tif 000039